(57)【要約】      （修正有）【課題】取り付けが簡単で、外的衝撃による外れを防止できる、メインボードとドーターボードを連結するバックルコネクタを提供する。【解決手段】メインボード４とドーターボード２を連結するバックルコネクタであって、バックルコネクタは第一連結部１２と第二連結部１４を含む。第一連結部は主にノッチ１２６２を有する第一嵌合パーツ１２６を、第二連結部は主に２個の溝１４８の間に形成され、ロック１４６を有する第二嵌合パーツ１４１０を提供する。第一連結部は第二連結部に一方向に移動する際、第一嵌合パーツのノッチを第二嵌合パーツのロックにはめることにより、第一連結部と第二連結部を同一平面に設置させる。【選択図】図１
0003226008.tif 000002
【実用新案登録請求の範囲】
【請求項１】
メインボードとドーターボードを連結できるバックルコネクタであり、前記バックルコネクタは第一連結部及び第二連結部を含み、
前記第一連結部は第一ハウジングと複数の第一端子を含み、前記第一ハウジングは複数の前記第一端子を置ける第一収容空間を形成し、複数の前記第一端子の一端は電気的に前記ドーターボードに接続し、且つ前記第一ハウジングは第一嵌合パーツを形成し、前記第一嵌合パーツは第一ハウジングの片側から突起し、そのうち前記第一嵌合パーツはノッチを形成し、
前記第二連結部は、第二ハウジングと複数の第二端子とロックを含み、前記第二ハウジングは複数の前記第二端子を置ける複数の溝を形成し、複数の前記第二端子の一端は電気的に前記メインボードに接続し、複数の前記第二端子の別の一端は電気的に複数の前記第一端子の別の一端に接続し、また前記第二ハウジングは任意の２個の複数の前記溝の間に第二嵌合パーツを形成し、前記ロックは前記第二嵌合パーツに置かれ、
そのうち、前記第一連結部は一方向により前記第二連結部まで移動し、前記ノッチを前記ロックにはめることにより、前記第一嵌合パーツと前記第二嵌合パーツが合い、前記第一連結部と前記第二連結部は同一平面に設置され、複数の前記第一端子は複数の前記第二端子と電気的に接続することを特徴とするバックルコネクタ。
【請求項２】
前記第一嵌合パーツは更に第一斜面を形成し、前記第二嵌合パーツは第二斜面を形成し、前記第一斜面が前記第二嵌合パーツに接触する際、前記第一嵌合パーツは前記第一斜面と前記第二斜面により前記第二嵌合パーツに滑り込むことを特徴とする、請求項１に記載のバックルコネクタ。
【請求項３】
前記ロックは第三斜面を含み、前記第一斜面が前記第二嵌合パーツに接触する際、前記第一嵌合パーツは前記第一斜面と前記第二斜面そして前記第三斜面により前記第二嵌合パーツに滑り込むことを特徴とする、請求項２に記載のバックルコネクタ。
【請求項４】
前記第一斜面は前記第一嵌合パーツの片側で形成され、前記ノッチは前記第一嵌合パーツのもう一方で形成されることを特徴とする請求項２に記載のバックルコネクタ。
【請求項５】
前記第二斜面は前記第二嵌合パーツの内側で形成されることを特徴とする、請求項２に記載のバックルコネクタ。
【請求項６】
前記第一嵌合パーツは前記第二嵌合パーツに一角度により挿入し、前記第一斜面と前記第二斜面により前記第二嵌合パーツに滑り込み、そのうち前記角度は２０度より大きくならないことを特徴とする、請求項２に記載のバックルコネクタ。
【請求項７】
前記第二嵌合パーツはヘッドエンド開口部とネック開口部を提供し、前記ヘッドエンド開口部は前記ネック開口部と連通することを特徴とする、請求項１に記載のバックルコネクタ。
【請求項８】
前記第一嵌合パーツはヘッドエンドとネックで形成されるＴ型体であり、前記第一嵌合パーツが前記第二嵌合パーツと嵌合される際、前記ヘッドエンドは前記ヘッドエンド開口部に設置され、前記ネックは前記ネック開口部に設置されることを特徴とする、請求項７に記載のバックルコネクタ。
【請求項９】
前記ヘッドエンド開口部のサイズは前記ヘッドエンドのサイズよりも小さくなく、前記ヘッドエンドは前記ヘッドエンド開口部でずらしても設置できることを特徴とする、請求項８に記載のバックルコネクタ。
【請求項１０】
前記ロックはＵ型体あるいはＳ型体になり、前記ロックの一端は前記ヘッドエンド開口部から突起し、前記ロックは前記ノッチにはめると弾性力が生まれることを特徴とする、請求項７に記載のバックルコネクタ。
【請求項１１】
複数の前記溝の内側は第四斜面を形成し、複数の前記第一端子を滑り込ませ、複数の前記第二端子に接続させることを特徴とする、請求項１０に記載のバックルコネクタ。
【考案の詳細な説明】
【技術分野】
【０００１】
本考案はコネクタの技術分野に属し、特にボ−ドとボ−ドを連結するバックルコネクタである。
【背景技術】
【０００２】
従来は、２つのプリント基板はコネクタを通して繋げられ、その間でシグナル配信されるものである。
【０００３】
もちろんコネクタは２つのプリント基板を繋げるのに便利だが、組み立ての過程で外的衝撃により脱落することを免れず、また、組み立ての途中ではコネクタの端子が正しい位置に合わせにくいため端子が破損し、コネクタの電気特性にも影響する。
【０００４】
なお、組み立てのスペースが狭い状況に応じて、コネクタのサイズも小さくする必要がある；しかし、小さくしたコネクタを組み立て中は、更に前に述べた脱落や端子の破損が発生しやすい。
【０００５】
以上に鑑み、本考案は従来のコネクタが引き起こす問題点を解決できるコネクタを提供する。
【考案の概要】
【考案が解決しようとする課題】
【０００６】
本考案の第一目的は、バックルコネクタを提供することで、第一連結部のオス（あるいはメス）と第二連結部のメス（あるいはオス）を通してボードとボードを連結する目的を達成することである。
【０００７】
本考案の第二目的は、前記バックルコネクタを元に、第一連結部の第一嵌合パーツと第二連結部の第二嵌合パーツを連結し、第一連結部と第二連結部を噛み合わせることである。
【０００８】
本考案の第三目的は、前記述べたバックルコネクタを元に、第一嵌合パーツと第二嵌合パーツをそれぞれの斜面を利用し、第一連結部と第二連結部を組み立てる時に第一嵌合パーツを第二嵌合パーツに滑り込ませる（正しい位置に誘導することができる）ため、組み立てやすくする目的を達成することである。
【０００９】
本考案の第四目的は、前記バックルコネクタを元に、第一連結部と第二連結部を垂直にあるいは一角度により結合させ、組み立てやすくする目的を達成することである。
【００１０】
本考案の第五目的は、前記バックルコネクタを元に、第二嵌合パーツのロックの弾性力を利用し、第一嵌合パーツのノッチに合わせ、第二嵌合パーツで第一嵌合パーツをロックすることである。
【００１１】
本考案の第六目的は、前記バックルコネクタを元に、第二嵌合パーツは第二ハウジングの任意の２つの溝の間にあり、溝に第一連結部の第一端子を置くことである。
【００１２】
本考案の第七目的は、前記バックルコネクタを元に、溝に斜面があるため、第一連結部と第二連結部の組み立て時は第一端子を簡単に滑り込ませられるようにすることである。
【００１３】
本考案の第八目的は、前に述べたバックルコネクタを元に、第一連結部と第二連結部を連結した後、第二嵌合パーツに第一嵌合パーツの移動を制限させることである。
【課題を解決するための手段】
【００１４】
上に述べた目的とその他の目的を達成するため、本考案はメインボードとドーターボードを連結するバックルコネクタを提供する。バックルコネクタは第一連結部と第二連結部を含む。第一連結部は第一ハウジングと複数の第一端子を含む。第一ハウジングは前記複数の端子を置いた第一収容空間で形成される。前記第一端子は、ドーターボードと電気的に接続ができ、且つ第一ハウジングは第一嵌合パーツを形成する。第一嵌合パーツは第一ハウジング側から突起している。そのうち、第一嵌合パーツはノッチを形成する。第二連結部は第二ハウジング、複数の第二端子とロックを含む。第二ハウジングは前記複数の第二端子を置いた複数の溝を形成する。前記複数の第二端子の一端は電気的にメインボードを連結し、前記複数の第二端子の別の一端は電気的に前記複数の第一端子の別の一端を連結する。また、第二ハウジングは前記任意の二個の溝の間に第二嵌合パーツを形成する。ロックは第二嵌合パーツに置かれる。その中で、第一連結部は一方向に第二連結部まで移動し、ノッチとロックをはめると第一嵌合パーツと第二嵌合パーツが合い、第一連結部と第二連結部の位置が同一平面に置くことができ、前記複数の第一端子は電気的に前記複数の第二端子に接続できる。
【００１５】
広く知られている技術に比べ、本考案が提供するバックルコネクタは、オスとメスの組み立ての過程で簡単に取り付けができ、更にオスとメスの間の外的衝撃による外れを防ぐことができる。本考案は、オス（あるいはメス）は垂直にもしくは一つの角度によりメス（あるいはオス）に挿入することができる。
【図面の簡単な説明】
【００１６】
【図１】本考案の実施例におけるバックルコネクタの構造見取り図である。
【図２Ａ】本考案の図１の第一連結部の構造を説明する見取り図である。
【図２Ｂ】本考案の図１の第一連結部の構造を説明する見取り図である。
【図３Ａ】本考案の図１の第二連結部の構造を説明する見取り図である。
【図３Ｂ】本考案の図１の第二連結部の構造を説明する見取り図である。
【図３Ｃ】本考案の図１の第二連結部の構造を説明する見取り図である。
【図４Ａ】本考案の図１の第一連結部の嵌合と第二連結部の嵌合を説明する見取り図である。
【図４Ｂ】本考案の図１の第一連結部の嵌合と第二連結部の嵌合を説明する見取り図である。
【図５Ａ】図５Ａ、図５Ｂあるいは図５Ｃは、本考案の図１の第一連結部の嵌合と第二連結部の嵌合を説明する見取り図である。
【図５Ｂ】図５Ａ、図５Ｂあるいは図５Ｃは、本考案の図１の第一連結部の嵌合と第二連結部の嵌合を説明する見取り図である。
【図５Ｃ】図５Ａ、図５Ｂあるいは図５Ｃは、本考案の図１の第一連結部の嵌合と第二連結部の嵌合を説明する見取り図である。
【考案を実施するための形態】
【００１７】
本考案の目的特徴及び効果について理解するために、以下に述べる具体的な実施例を通し、付属の図面と合わせ、本考案の詳細な説明をする。説明文は以下である。
【００１８】
本考案の個数は、特に記載がない場合を除き、一つまたは少なくとも一つであり、且つ複数である場合を含むことがある。
【００１９】
考案における「含む」や「備える」またそれらに類似する用語は、非排他的な包括物を網羅していることを意味する。例えば、複数の要素を含むユニットや構造・製品・装置は、本文に記載される要素に限らず、記載がなくとも該当するユニットや構造・製品・装置が通常持つ他の要素を包括することもできる。これ以外に、特に記載がない場合を除き、本文中の「あるいは」という用語は包括的意味として用いられ、排他的意味を持たない。
【００２０】
図１は、本考案の実施例におけるバックルコネクタの構造見取り図である。図１の中で、バックルコネクタ１０はドーターボード２とメインボード４を連結するが、ドーターボード２とメインボード４はプリント基板でもよい。注意すべきは、本考案実施例においてはバックルコネクタ１０は一つのドーターボード２の連結を例にとって説明しているが、他の実施例においてはバックルコネクタ１０は２個以上のドーターボード２を連結することができる。
【００２１】
バックルコネクタ１０は第一連結部１２と第二連結部１４を含む。本考案実施例において、第一連結部１２のオスの部分と第二連結部１４のメスの部分を例にとって説明しているが、第一連結部１２と第二連結部１４が連結ができることが本考案の述べた範疇である。
【００２２】
図２Ａと図２Ｂを合わせて参照すると、本考案の図１の第一連結部の構造を説明する見取り図である。図２Ａと図２Ｂの中で、第一連結部１２は第一ハウジング１２２と複数の第一端子１２４を含む。第一ハウジング１２２は第一端子１２４を置ける第一収容空間ＦＳＰを形成し、ここで、第一ハウジング１２２は矩形を例にとって説明しており、且つ第一ハウジング１２２はドーターボード２でロックし固定する。これ以外に、第一ハウジング１２２は第一嵌合パーツ１２６を形成する。その中で、第一嵌合パーツ１２６は第一ハウジング１２２の片側から突起している。なお、第一嵌合パーツ１２６の前端もノッチ１２６２を形成し、ここで、ノッチ１２６２の側面の形状はＬ型になる。なお、第一嵌合パーツ１２６はさらに第一斜面１２６４を形成し、ここで、第一斜面１２６４はノッチ１２６２のもう一方を取り囲む。
【００２３】
前記第一端子１２４の一端は電気的にドーターボード２に接続でき、前記第一端子１２４の別の一端は電気的に第二端子１４４に接続できる。
【００２４】
第二連結部１４は第二ハウジング１４２、複数の第二端子１４４、ロック１４６を含む。
【００２５】
図３Ａ乃至図３Ｃを合わせて参照すると、本考案の図１の第二連結部の構造を説明する見取り図である。図３Ａ乃至図３Ｃの中で、第二ハウジング１４は前記複数の第二端子１４４を置くための複数の溝１４８を形成し、ここで、第二ハウジング１４は矩形を例にとって説明しており、且つ第二ハウジング１４はマザーボード４でロックし固定する。
【００２６】
前記複数の第二端子１４４の一端は電気的にメインボード４に接続し、前記複数の第二端子１４４の別の一端は電気的に前記第一端子１２４の別の一端に接続できる。また、第二ハウジング１４は前記任意の２個の溝１４８の間に第二嵌合パーツ１４１０を形成する。ここで、前記複数の溝１４８の数量は４個と偶数を例にとると、すなわち第二嵌合パーツ１４１０の左右両側は各２個ずつの溝１４８があるが、別の実施例においては前記複数の溝１４８の数量は奇数でも可能であり、且つ前記複数の溝１４８の内側は第四斜面１４８２を形成するが、それは前記複数の第一端子１２４を前記複数の第二端子１４２に滑り込ませ連結するためである。本考案において、第二嵌合パーツ１４１０は任意の２個の溝１４８の間にあることが本考案の範疇である。なお、第二嵌合パーツ１４１０はヘッドエンド開口部１４１０２とネック開口部１４１０４を提供し、そしてヘッドエンド開口部１４１０２はネック開口部１４１０４と連通し、第一嵌合パーツ１２６はヘッドエンド１２６６とネック１２６８で形成されるＴ型のものであり、ヘッドエンド１２６６をヘッドエンド開口部１４１０２に設置（あるいは挿入）しネック１２６８をネック開口部１４１０４に設置するとロックの動作が完成する。別の実施例においては、ヘッドエンド開口部１４１０２のサイズはヘッドエンド１２６６のサイズと同じかまたはそれより大きく、ヘッドエンド１２６６はヘッドエンド開口部１４１０２の中で位置がずれても対応できる。またその中で、第二嵌合パーツ１４は第二斜面１４１２を形成し、例えば第二斜面１４１２は第二嵌合パーツ１４１０の内側（あるいは内側上部）を形成し、そして第二斜面１４１２は平面でも可能である。第一嵌合パーツ１２６の第一斜面１２６４は第二嵌合パーツ１４１０に接触する際、第一嵌合パーツ１２６は第一斜面１２６４と第二斜面１４１２を用いて第二嵌合パーツ１４１０に滑り込む。
【００２７】
図４Ａと図４Ｂを合わせて参照すると、本考案の図１の第一連結部１２と第二連結部１４との嵌合を説明する見取り図である。図４Ａにおいて重要なことは、角度θが例えば１０度かまたはそれ以下であれば、その第一嵌合パーツ１２６は第一斜面１２６４と第二斜面１４１２により第二嵌合パーツ１４１０に滑り込ませることができる。そして図４Ｂにおいて重要なことは、第一斜面１２６４と第二斜面１４１２の嵌合であり、且つ嵌合の過程において、第一斜面１２６４と第二斜面１４１２の間に変異偏差ｄが存在していようが、第一嵌合パーツ１２６は第一斜面１２６３により第二斜面１４１２の導きを受けて第二嵌合パーツ１４１０に滑り込む。
【００２８】
図３Ｃに戻り、ロック１４６は第二嵌合パーツ１４１０に設置され、且つロック１４６は第三斜面１４６２を持ち、第一斜面１２６２は第二嵌合パーツ１４１０に接触する際、第一嵌合パーツ１２６は第一斜面１２６４と第二斜面１４１２そして第三斜面１４６２により第二嵌合パーツ１４１０に滑り込む。本実施例において、ロック１４６はＵ型あるいはＳ型になり、ロック１４６の一端はヘッドエンド開口部１４１０２から突起し、ロック１４６はノッチ１２６２にはめると弾性力が生まれ、第一嵌合パーツ１２６を第二嵌合パーツ１４１０にロックされる。
【００２９】
第一連結部１２はＸの方向に第二連結部１４まで移動し（図５Ａあるいは５Ｂを合わせて参照）、ノッチ１２６２をロック１４６にはめることにより、第一嵌合パーツ１２６と第二嵌合パーツ１４１０が合い、第一連結部１２と第二連結部１４は同一平面に設置される（図５Ｃを合わせて参照）。そして前記複数の第一端子１２４は前記複数の第二端子１４４と電気的に接続する。その中で、図５Ａにおいて、第一連結部１２は一角度（例えば角度は２０度もしくはそれ以下）の方向に第二連結部１４に挿入される；図５Ｂにおいて、第一連結部１２は垂直に第二連結部１４に挿入される。
【００３０】
前述において本考案の典型的実施例を説明したが、これは当業者の本考案の内容に対する理解であり、本考案を制限するものではない。注意すべきは、実施例と同一の効果のある全ての変化と置き換えは、本考案の範囲内である。そのため、本考案の保護範囲の基準は実用新案登録請求の範囲となる。
【符号の説明】
【００３１】
２                  ドーターボード
４                  メインボード
１０                バックルコネクタ
１２                第一連結部
１２２              第一ハウジング
１２４              第一端子
１２６              第一嵌合パーツ
１２６２            ノッチ
１２６４            第一斜面
１２６６            ヘッドエンド
１２６８            ネック
１４                第二連結部
１４２              第二ハウジング
１４４              第二ターミナル
１４６              ロック
１４８              溝
１４１０２     ヘッドエンド開口部
１４１０４     ネック開口部
１４８２            第四斜面
１４１０            第二嵌合パーツ
１４１２            第二斜面
θ                  角度
ｄ                  変位偏差
ＦＳＰ              第一收容空間
ＳＳＰ              第二收容空間
【図１】
0003226008.tif 000003
【図２Ａ】
0003226008.tif 000004
【図２Ｂ】
0003226008.tif 000005
【図３Ａ】
0003226008.tif 000006
【図３Ｂ】
0003226008.tif 000007
【図３Ｃ】
0003226008.tif 000008
【図４Ａ】
0003226008.tif 000009
【図４Ｂ】
0003226008.tif 000010
【図５Ａ】
0003226008.tif 000011
【図５Ｂ】
0003226008.tif 000012
【図５Ｃ】
0003226008.tif 000013